(57)【要約】【課題】操作者がタッチパネル部に対して押下操作を行う前に、その押下操作に対応する表示部品を事前に予測することにより、操作者に対する操作性の向上を図る。【解決手段】表示部の情報に配設されるタッチパネル部２０は、操作指による押下操作の位置を検出して、押下座標を制御部４０に出力する。検出部３０は、タッチパネル部２０の上方に設定される検出エリアにおいて、タッチパネル部２０への押下操作を前提とした操作指の位置を検出して、予測座標を制御部４０に出力する。記憶部５０は、複数の表示部品毎に、少なくとも表示部品に含まれる表示エリア上の範囲を示す予測座標範囲を関連付けて記憶する。ここで、制御部４０は、予測座標に基づいて記憶部５０を検索することにより、予測座標が含まれる予測座標範囲と関連付けられている表示対象部品を、押下予測部品であると特定する。【選択図】      図１
2009003867.tif 000002
【特許請求の範囲】
【請求項１】
表示装置において、
表示エリアを備える表示部と、
表示エリアに表示すべき表示部品を表示対象部品として決定するとともに、当該決定された表示対象部品が前記表示エリアに表示されるように、前記表示部を制御する制御部と、
前記表示部の上方に配設されており、操作指による押下操作の位置を検出して、当該押下操作と位置的に対応する表示エリア上の座標を押下座標として前記制御部に出力する第１のタッチパネル部と、
前記第１のタッチパネル部の上方に設定される検出エリアにおいて、前記第１のタッチパネル部への押下操作を前提とした操作指の位置を検出して、当該操作指と位置的に対応する表示エリア上の座標を予測座標として前記制御部に出力する検出部と、
複数の表示部品毎に、少なくとも表示部品に含まれる表示エリア上の範囲を示す予測座標範囲を関連付けて記憶する記憶部とを有し、
前記制御部は、前記検出部からの予測座標に基づいて前記記憶部を検索することにより、前記予測座標が含まれる前記予測座標範囲と関連付けられている前記表示対象部品を、前記第１のタッチパネル部を介した押下操作が予測される押下予測部品であると特定することを特徴とする表示装置。
【請求項２】
前記検出部は、前記第１のタッチパネル部の表示エリア上空に検出エリアを設定して、当該検出エリアを通過して前記第１のタッチパネル部へ接近する操作指の位置を検出するセンサによって構成されることを特徴とする請求項１に記載された表示装置。
【請求項３】
前記検出部は、前記第１のタッチパネル部の上面に重ね合わせて配設されて、自己の表面を検出エリアとして有する第２のタッチパネル部によって構成されており、
前記第２のタッチパネル部は、前記第１のタッチパネル部の検知感度よりも高い検知感度に設定されていることを特徴とする請求項１に記載された表示装置。
【請求項４】
前記制御部は、前記特定された押下予測部品を目標とする前記タッチパネル部への押下操作を補助する観点に基づいて、前記表示対象部品の表示状態を変更させることを特徴とする請求項１から３のいずれか一項に記載された表示装置。
【請求項５】
前記表示部品は、少なくとも文字情報を含み、
前記制御部は、前記押下予測部品に含まれる文字情報が表示状態変更前よりも太文字となるように、前記表示対象部品の表示状態を変更することを特徴とする請求項４に記載された表示装置。
【請求項６】
前記制御部は、前記押下予測部品以外の表示対象部品を非表示とするように、前記表示対象部品の表示状態を変更することを特徴とする請求項４に記載された表示装置。
【請求項７】
前記制御部は、前記押下予測部品以外の表示対象部品が表示状態変更前よりも不鮮明となるように、前記表示対象部品の表示状態を変更することを特徴とする請求項４に記載された表示装置。
【請求項８】
前記制御部は、前記押下予測部品が表示状態変更前よりも拡大表示されるように、前記表示対象部品の表示状態を変更することを特徴とする請求項４に記載された表示装置。
【請求項９】
前記制御部は、前記押下予測部品を中心として所定範囲内に含まれる表示対象部品を周辺表示部品として特定するとともに、前記押下予測部品と前記周辺表示部品とが表示状態変更前よりも拡大表示されるように、前記表示対象部品の表示状態を変更することを特徴とする請求項４に記載された表示装置。
【請求項１０】
前記表示対象部品は、操作者によって操作可能な第１の表示対象部品と、操作者によって操作不可能な第２の表示対象部品とを含み、
前記制御部は、前記押下予測部品と、前記押下予測部品以外の前記第１の表示対象部品とが表示状態変更前よりも拡大表示されるように、前記表示対象部品の表示状態を変更することを特徴とする請求項４に記載された表示装置。
【請求項１１】
前記制御部は、拡大表示するとともに、表示部品の機能が表示されるように、前記表示対象部品の表示状態を変更することを特徴とする請求項１０に記載された表示装置。
【請求項１２】
音声情報を出力する音声出力部をさらに有し、
前記制御部は、前記特定された押下予測部品に基づいて、当該押下予測部品の機能を説明する情報を、前記音声出力部を介して出力することを特徴とする請求項１から１１のいずれか一項に記載された表示装置。
【請求項１３】
表示部の表示エリアの上方にタッチパネル部が配設された表示装置に実行させるためのコンピュータ・プログラムにおいて、
表示エリアに表示すべき表示部品を表示対象部品として決定する第１のステップと、
前記決定された表示対象部品を表示エリアに表示する第２のステップと、
前記第１のタッチパネル部の上方に設定される検出エリアにおいて、前記第１のタッチパネル部へ接近する操作指の位置を検出する検出部から、当該操作指と位置的に対応する表示エリア上の座標を予測座標として取得する第３のステップと、
複数の表示部品毎に、少なくとも表示部品に含まれる表示エリア上の範囲を示す予測座標範囲が関連付けられた部品情報を検索し、前記取得した予測座標が含まれる前記予測座標範囲と関連付けられている前記表示対象部品を、前記第１のタッチパネル部を介した押下操作が予測される押下予測部品であると特定する第４のステップと
を有することを特徴とするコンピュータ・プログラム。
【請求項１４】
前記第４のステップにおいて特定された押下予測部品を目標とする前記タッチパネル部への押下操作を補助する観点に基づいて、前記表示対象部品の表示状態を変更させる第５のステップをさらに有することを特徴とする請求項１３に記載されたコンピュータ・プログラム。
【発明の詳細な説明】
【技術分野】
【０００１】
本発明は、表示装置、および、この表示装置に実行させるためのコンピュータ・プログラムに関する。
【背景技術】
【０００２】
従来より、表示機能と入力機能とが共通化されたタッチパネル機能を有する表示装置が知られている。この類の表示装置では、表示部の上面にタッチパネル部を配設し、タッチパネル部における操作指の押下位置と、表示部の表示エリアに表示された表示部品との位置的な対応関係に基づいて、押下操作と位置的に対応する表示部品を特定し、この表示部品に割り当てられた機能が実行される。
【０００３】
なお、特許文献１から３には、タッチパネル部へ押下操作がなされる前に操作指の位置を検出する手法が開示されている。
【特許文献１】特開平６−４２１４号公報
【特許文献２】特開２００５−７１２４６号公報
【特許文献１】特開２００６−２８５４９１号公報
【発明の開示】
【発明が解決しようとする課題】
【０００４】
しかしながら、個々の表示部品の配置間隔が狭かったり、表示部品が小さく表示されたりした場合には、表示部の表示エリア上に表示された表示部品を選択する際に、操作者が意図する表示部品とは異なる表示部品が押下操作されたと認識されてしまう問題がある。このような問題は、表示部の表示エリアのサイズが小さいほど顕著となる。
【０００５】
本発明は、このような事情に鑑みてなされたものであり、その目的は、操作者がタッチパネル部に対して押下操作を行う前に、その押下操作に対応する表示部品を事前に予測することにより、操作者に対する操作性の向上を図ることである。
【課題を解決するための手段】
【０００６】
かかる課題を解決するために、第１の発明は、表示部と、制御部と、第１のタッチパネル部と、検出部と、記憶部とを有する表示装置を提供する。ここで、表示部は、表示エリアを備える。制御部は、表示エリアに表示すべき表示部品を表示対象部品として決定するとともに、この決定された表示対象部品が表示エリアに表示されるように、表示部を制御する。第１のタッチパネル部は、表示部の上方に配設されており、操作指による押下操作の位置を検出して、この押下操作と位置的に対応する表示エリア上の座標を押下座標として制御部に出力する。検出部は、第１のタッチパネル部の上方に設定される検出エリアにおいて、第１のタッチパネル部への押下操作を前提とした操作指の位置を検出して、この操作指と位置的に対応する表示エリア上の座標を予測座標として制御部に出力する。記憶部は、複数の表示部品毎に、少なくとも表示部品に含まれる表示エリア上の範囲を示す予測座標範囲を関連付けて記憶する。この場合、制御部は、検出部からの予測座標に基づいて記憶部を検索することにより、予測座標が含まれる予測座標範囲と関連付けられている表示対象部品を、第１のタッチパネル部を介した押下操作が予測される押下予測部品であると特定する。
【０００７】
ここで、第１の発明において、検出部は、第１のタッチパネル部の表示エリア上空に検出エリアを設定して、この検出エリアを通過して第１のタッチパネル部へ接近する操作指の位置を検出するセンサによって構成されることが好ましい。または、検出部は、第１のタッチパネル部の上面に重ね合わせて配設されて、自己の表面を検出エリアとして有する第２のタッチパネル部によって構成されており、第２のタッチパネル部は、第１のタッチパネル部の検知感度よりも高い検知感度に設定されていることが好ましい。
【０００８】
また、第１の発明において、制御部は、特定された押下予測部品を目標とするタッチパネル部への押下操作を補助する観点に基づいて、表示対象部品の表示状態を変更させることが望ましい。
【０００９】
ここで、表示部品は、少なくとも文字情報を含み、制御部は、押下予測部品に含まれる文字情報が表示状態変更前よりも太文字となるように、表示対象部品の表示状態を変更する。ことを特徴とする請求項４に記載された表示装置。
【００１０】
また、制御部は、押下予測部品以外の表示対象部品を非表示とするように、表示対象部品の表示状態を変更する。
【００１１】
また、制御部は、押下予測部品以外の表示対象部品が表示状態変更前よりも不鮮明となるように、表示対象部品の表示状態を変更する。
【００１２】
また、制御部は、押下予測部品が表示状態変更前よりも拡大表示されるように、表示対象部品の表示状態を変更する。
【００１３】
また、制御部は、押下予測部品を中心として所定範囲内に含まれる表示対象部品を周辺表示部品として特定するとともに、押下予測部品と周辺表示部品とが表示状態変更前よりも拡大表示されるように、表示対象部品の表示状態を変更する。
【００１４】
また、表示対象部品は、操作者によって操作可能な第１の表示対象部品と、操作者によって操作不可能な第２の表示対象部品とを含み、制御部は、押下予測部品と、押下予測部品以外の第１の表示対象部品とが表示状態変更前よりも拡大表示されるように、表示対象部品の表示状態を変更する。
【００１５】
また、制御部は、拡大表示するとともに、表示部品の機能が表示されるように、表示対象部品の表示状態を変更する。
【００１６】
さらに、第１の発明において、表示装置は、音声情報を出力する音声出力部をさらに有してもよい。この場合、制御部は、特定された押下予測部品に基づいて、この押下予測部品の機能を説明する情報を、音声出力部を介して出力する。
【００１７】
第２の発明は、表示部の表示エリアの上方にタッチパネル部が配設された表示装置に実行させるためのコンピュータ・プログラムを提供する。このコンピュータ・プログラムは、表示エリアに表示すべき表示部品を表示対象部品として決定する第１のステップと、決定された表示対象部品を表示エリアに表示する第２のステップと、第１のタッチパネル部の上方に設定される検出エリアにおいて、第１のタッチパネル部へ接近する操作指の位置を検出する検出部から、この操作指と位置的に対応する表示エリア上の座標を予測座標として取得する第３のステップと、複数の表示部品毎に、少なくとも表示部品に含まれる表示エリア上の範囲を示す予測座標範囲が関連付けられた部品情報を検索し、取得した予測座標が含まれる予測座標範囲と関連付けられている表示対象部品を、第１のタッチパネル部を介した押下操作が予測される押下予測部品であると特定する第４のステップとを有する。
【００１８】
ここで、第２の発明は、第４のステップにおいて特定された押下予測部品を目標とするタッチパネル部への押下操作を補助する観点に基づいて、表示対象部品の表示状態を変更させる第５のステップをさらに有することが望ましい。
【発明の効果】
【００１９】
本発明によれば、表示部品毎に、予測座標範囲が関連付けられて記憶部に記憶されている。そのため、この記憶部を参照し、予測座標と、予測座標範囲との位置的な対応を図ることが可能となり、押下予測部品を特定することができる。これにより、操作者が選択しようとする表示対象部品を、タッチパネル部を押下操作するよりも前に特定することができる。よって、タッチパネル部の押下操作前であるため、すなわち、操作者による実質的な選択が行われる前段階であるため、この押下予測部品に基づいて、各種の処理を実現することができ、これにより、操作者に対する操作性の向上を図ることが可能となる。
【発明を実施するための最良の形態】
【００２０】
（第１の実施形態）
図１は、本発明の実施形態にかかる表示装置の構成を示すブロック図である。図２は、表示装置の外観を模式的に示す説明図であり、一部の構成要素は省略して描かれている。この表示装置は、例えば、工場等の施設に設けられており、工場内における種々の装置の運転状況や設備情報を表示するとともに、装置や設備を一元的にコントロールする入力機能を備えた装置である。
【００２１】
表示装置は、表示部１０と、タッチパネル部２０と、検出部３０と、制御部４０と、記憶部５０と、音声出力部６０とを主体に構成されている。
【００２２】
表示部１０は、液晶やＣＲＴといった周知のディスプレイ（表示手段）によって構成されており、後述する制御部４０に制御されて各種の情報を表示する。表示部１０は、例えば、工場内の壁面などに設置されており、設置場所などの制限を受けに難くするため、比較的小型のディスプレイを用いることが好ましい。表示部１０は、情報が実質的に表示される表示エリア１１を有しており、この表示エリア１１には、表示エリア１１上の二次元位置を規定する座標情報が予め設定されている。この座標情報は、例えば、表示エリア１１の左上隅を原点として、水平座標（Ｘ座標）および垂直座標（Ｙ座標）の二次元座標として設定されている。
【００２３】
タッチパネル部２０は、表示部１０の上方に、具体的には、その表面に、少なくとも表示エリア１１を覆うような格好で配設されている。タッチパネル部２０としては、抵抗膜方式のアナログタッチパネルなどを用いることができる。この類のタッチパネルは、一般に、上部透明電極板と下部透明電極板とを主体に構成されている。個々の透明電極板は、透明基板とこの透明基板上に形成された透明導電性膜とを有しており、上部および下部透明電極板は、互いの透明導電性膜が対向するように間隔をおいて配置されている。このような構成のタッチパネル部２０は、上部透明電極板が操作指で押下された場合、その押下点において、上部透明電極板が撓み、上部および下部透明電極板の透明導電性膜同士が接触する。そして、この接触点の座標情報が電気抵抗の測定によって検出されて、これが押下操作の位置を示す押下座標として制御部４０に出力される。タッチパネル部２０に設定される座標情報は、表示部１０の表示エリア１１に設定される座標情報と位置的に対応付けて設定されており、この押下座標は、押下操作と位置的に対応する表示エリア上の座標を示すこととなる。また、タッチパネル部２０は、検知感度として設定された第１の押下圧以上の圧力が作用した場合に、これを押下操作として検出する。したがって、第１の押下圧力よりも小さな圧力で押下操作をした場合には、押下操作として検出されない。なお、操作指は、直接的には、操作者自身の指であるが、入力ペンといったタッチパネル部２０を操作可能な種々の要素を含む。
【００２４】
図３は、第１の実施形態にかかる検出部３０の構成を示す説明図である。検出部３０は、タッチパネル部２０の上方に設定される検出エリア３３において、タッチパネル部２０への押下操作を前提とした操作指の位置を検出して、これを操作指によって押下操作されるであろう位置を示す予測座標として制御部４０に出力する。本実施形態において、検出部３０は、それぞれが表示エリア１１の水平方向にかけて配列されて、表示エリア１１の垂直方向に検出光（以下「垂直検出光」という）を照射する複数の発光ユニット３１と、垂直検出光を受光する受光ユニット３２と、それぞれが表示エリア１１の垂直方向にかけて配列されて、表示エリア１１の水平方向に検出光（以下「水平検出光」という）を照射する一対の発光ユニット３１と、水平検検出光を受光する受光ユニット３２とで構成されている。
【００２５】
垂直検出光は、タッチパネル部２０の上空を、このタッチパネル部２０と平行に照射される光であり、個々の垂直検出光により、表示エリア１１の水平方向領域が概ねカバーされる。タッチパネル部２０への押下操作を前提として、操作指が垂直検出光を通過してタッチパネル部２０へ接近すると、垂直検出光のいずれかが遮断され、これに対応して受光ユニット３２側での検出強度が変化する。受光ユニット３２は、個々の垂直検出光に対応する水平方向の座標情報と、それが遮断された場合の検出強度との対応関係を保持しており、変化した検出強度に基づいて、操作指が検出エリア３３を通過した水平方向の座標情報を検出する。
【００２６】
一方、水平検出光は、タッチパネル部２０の上空を、このタッチパネル部２０と平行に照射される光であり、個々の水平検出光により、表示エリア１１の垂直方向領域が概ねカバーされる。タッチパネル部２０への押下操作を前提として、操作指が水平検出光を通過してタッチパネル部２０へ接近すると、水平検出光のいずれかが遮断される。これに対応して受光ユニット３２側での検出強度が変化する。受光ユニット３２は、個々の水平検出光に対応する垂直方向の座標情報と、それが遮断された場合の検出強度との対応関係を保持しており、変化した検出強度に基づいて、操作指が検出エリア３３を通過した垂直方向の座標情報を検出する。
【００２７】
このような垂直検出光および水平検出光により、タッチパネル部２０の上空、すなわち、表示エリア上空に、タッチパネル部２０と平行な二次元領域の検出エリア３３が設定され、この検出エリア３３を通過して第１のタッチパネル部へ接近する操作指の水平方向および垂直方向の位置（座標情報）が検出される。検出された座標情報は、予測座標として制御部に出力される。検出部３０に設定される座標情報は、表示部１０の表示エリア１１に設定される座標情報と位置的に対応付けて設定されており、この予測座標は、操作指と位置的に対応する表示エリア１１上の座標を示すこととなる。
【００２８】
制御部４０は、表示部１０の表示エリア１１に表示する情報を決定するとともに、タッチパネル部２０からの押下座標または検出部３０からの予測座標に基づいて、表示エリア１１の表示状態を変更するように、表示部１０を制御する。本実施形態において、制御部４０は、例えば、予め設定された制御プログラムに基づいて、種々のシーンに応じた表示状態を設定すべく、表示エリア１１に表示すべき表示部品を表示対象部品Ｓとして決定する。表示部品は、各種の機能が割り当てられて、表示エリア１１に表示される画像データやテキストデータのシンボルである。この表示部品には、操作者によって選択可能な部品と、装置や環境状態を表して、操作者によって選択不可能な部品とが含まれている。制御部４０は、記憶部５０に記憶される表示座標に基づいて、決定された表示対象部品Ｓが表示エリア１１に表示されるように、表示部１０を制御する。
【００２９】
図４は、記憶部５０に記憶される部品情報を説明する図である。部品情報は、個々の表示部品毎に、表示座標と、予測座標範囲とが関連付けられて構成されている。表示座標は、表示エリア１１における表示位置を規定する座標情報である。例えば、表示部品が矩形状のシンボルである場合、シンボルの中心点を表示する位置が、この表示座標によって規定される。予測座標範囲は、表示座標に従って表示される表示部品に含まれる表示エリア１１上の範囲を示す。例えば、表示部品が矩形状のシンボルである場合、この予測座標範囲は、表示部品の各隅部を表す４点の座標情報Ａ〜Ｄによって設定される。なお、表示座標および予測座標範囲は、単一の表示部品について、複数設定してもよく、表示エリア１１に表示される表示対象部品Ｓの個数に応じて、適宜選択することにより、個々の表示対象部品Ｓがオフセットするように調整することも可能である。
【００３０】
本実施形態の特徴の一つとして、制御部４０は、検出部３０から予測座標が出力された場合、この予測座標に基づいて記憶部５０を検索する。そして、制御部４０は、予測座標が含まれる予測座標範囲と関連付けられた表示対象部品Ｓを押下予測部品として特定する。そして、制御部４０は、特定された押下予測部品を目標とするタッチパネル部２０への押下操作を補助する観点に基づいて、表示対象部品Ｓの表示状態を変更させる。一方、制御部４０は、予測座標を含む予測座標範囲が存在しない場合、また、予測座標に対応する予測座標範囲に関連付けられる表示部品があってもそれが表示対象部品Ｓではない場合には、表示対象部品Ｓの表示状態をそのままの状態に維持する。
【００３１】
以下、各図面を参照しつつ、表示状態の変更形態について説明する。表示状態の変更形態としては、以下に示す各パターンの中から適宜適用することができる。なお、各図において、（ａ）は、変更前の表示状態を示し、（ｂ）は、変更後の表示状態を示す。
【００３２】
図５は、第１の変更形態を模式的に示す説明図である。例えば、あるシーンにおける初期表示状態として、「部品Ａ」が表示対象部品Ｓとして表示されていたとする。制御部４０は、予測座標に基づいて、「部品Ａ」を押下予測部品と判断した場合には、部品のアウトラインの大きさはそのままで、文字情報が、初期表示状態（表示状態変更前）よりも太文字となるように、表示対象部品Ｓの表示状態を変更する。これにより、押下予測部品が視覚的に強調表示されることとなる。
【００３３】
図６は、第２の変更形態を模式的に示す説明図である。例えば、あるシーンにおける初期表示状態として、「部品Ａ」〜「部品Ｃ」が表示対象部品Ｓとして表示されていたとする。制御部４０は、予測座標に基づいて、「部品Ａ」を押下予測部品と判断した場合には、押下予測部品である「部品Ａ」以外の表示対象部品Ｓ、すなわち、「部品Ｂ」および「部品Ｃ」を非表示とするように、表示対象部品Ｓの表示状態を変更する。これにより、押下予測部品のみが表示されることとなる。
【００３４】
図７は、第３の変更形態を模式的に示す説明図である。例えば、あるシーンにおける初期表示状態として、「部品Ａ」〜「部品Ｃ」が表示対象部品Ｓとして表示されていたとする。制御部４０は、予測座標に基づいて、「部品Ａ」を押下予測部品と判断した場合には、押下予測部品である「部品Ａ」以外の表示対象部品Ｓ、すなわち、「部品Ｂ」および「部品Ｃ」が、初期表示状態（表示状態変更前）よりも不鮮明となるように、表示対象部品Ｓの表示状態を変更する。例えば、「部品Ｂ」および「部品Ｃ」のアウトラインを破線に変更するといった如くである。これにより、押下予測部品が、これ以外の表示対象部品と比較して強調表示されることとなる。
【００３５】
図８は、第４の変更形態を模式的に示す説明図である。例えば、あるシーンにおける初期表示状態として、「部品Ａ」が表示対象部品Ｓとして表示されていたとする。制御部４０は、予測座標に基づいて、「部品Ａ」を押下予測部品と判断した場合には、表示対象部品Ｓの外形が、初期表示状態（表示状態変更前）よりも拡大されるように、表示対象部品Ｓの表示状態を変更する。これにより、押下予測部品がサイズ的に強調表示されることとなる。
【００３６】
図９は、第５の変更形態を模式的に示す説明図である。例えば、あるシーンにおける初期表示状態として、「部品Ａ」〜「部品Ｐ」が表示対象部品Ｓとして表示されていたとする。制御部４０は、予測座標に基づいて、「部品Ｅ」を押下予測部品と判断した場合には、押下予測部品である「部品Ｅ」に関する表示座標に基づいて、この表示座標を中心として所定範囲内に含まれる表示対象部品Ｓを周辺表示部品として特定する。例えば、「部品Ｅ」の周囲に存在する「部品Ａ」〜「部品Ｉ」（「部品Ｅ」を除く）を周辺表示部品として特定するといった如くである。そして、制御部４０は、押下予測部品である「部品Ｅ」と、周辺表示部品である（「部品Ｅ」を除く）とが、初期表示状態（表示状態変更前）よりも拡大されるように、表示対象部品Ｓの表示状態を変更する。これにより、押下予測部品およびその周囲の表示対象部品Ｓがサイズ的に強調表示されることとなる。
【００３７】
図１０は、第５の変更形態を模式的に示す説明図である。例えば、あるシーンにおける初期表示状態において、表示対象部品Ｓとして、操作者によって操作可能な第１の表示対象部品Ｓである「部品Ａ」〜「部品Ｆ」と、操作者によって操作不可能な第２の表示対象部品Ｓである「部品１」，「部品２」とが表示されていたとする。制御部４０は、予測座標に基づいて、「部品Ａ」を押下予測部品と判断した場合には、押下予測部品である「部品Ａ」と、押下予測部品以外の第１の表示対象部品Ｓ「部品Ｂ」〜「部品Ｆ」とが、初期表示状態（表示状態変更前）よりも拡大されるように、かつ、個々が整列するように、表示対象部品Ｓの表示状態を変更する。これにより、押下予測部品、および、操作者によって操作可能な第１の表示対象部品Ｓがサイズ的に強調表示されることとなる。
【００３８】
図１１は、第６の変更形態を模式的に示す説明図である。例えば、あるシーンにおける初期表示状態において、表示対象部品Ｓとして、操作者によって操作可能な第１の表示対象部品Ｓである「部品Ａ」〜「部品Ｆ」と、操作者によって操作不可能な第２の表示対象部品Ｓである「部品１」，「部品２」とが表示されていたとする。制御部４０は、予測座標に基づいて、「部品Ａ」を押下予測部品と判断した場合には、押下予測部品である「部品Ａ」と、押下予測部品以外の第１の表示対象部品Ｓ「部品Ｂ」〜「部品Ｆ」とが、初期表示状態（表示状態変更前）よりも拡大されるように、表示対象部品Ｓの表示状態を変更する。また、これとともに、図中の（Ａ）〜（Ｆ）で示すように、それらの表示部品の機能が表示されるように、表示対象部品Ｓの表示状態を変更する。これにより、押下予測部品、および、操作者によって操作可能な第１の表示対象部品Ｓがサイズ的に強調表示され、かつ、個々の機能が表意されることとなる。
【００３９】
制御部４０は、タッチパネル部２０から押下座標を取得した場合、この押下座標に基づいて、押下座標と位置的に対応して表示されている表示対象部品Ｓを特定し、その特定された表示対象部品Ｓに割り当てられた処理を実行する（例えば、機器の制御や、異なるシーンへと表示状態を変更する）。ここで、制御部４０は、上述の如く表示対象部品Ｓの表示形態を変更している。そのため、押下座標と、表示対象部品Ｓとの位置的な対応関係を特定する場合には、個々の表示部品について、表示形態変更後の予測座標範囲を記憶部５０に予め記憶しておき、押下座標と、表示形態変更後の予測座標範囲とに基づいて実行することが好ましい。ただし、制御部４０は、表示形態変更処理の結果に基づいて、表示座標およびその予測座標範囲を保持しておき、これを参照してもよい。
【００４０】
このような構成の表示装置において、以下、その基本的な動作（表示方法）について説明する。この動作は、制御部４０によって実行される。
【００４１】
まず、あるシーンに応じて、表示エリア１１に表示すべき表示部品が表示対象部品Ｓとして決定される。そして、制御部４０は、表示部１０を制御して、決定された表示対象部品Ｓを表示エリアに表示する。つぎに、制御部４０は、検出部３０から予測座標として取得したか否かを判断する。予測座標を取得した場合、制御部４０は、記憶部５０に記憶されている部品情報を検索し、予測座標が含まれる予測座標範囲と関連付けられている表示対象部品Ｓを、押下予測部品であると特定する。そして、制御部４０は、押下予測部品に基づいて、表示対象部品Ｓの表示状態を変更させる。つぎに、制御部４０は、タッチパネル部２０から押下座標として取得したか否かを判断する。押下座標を取得した場合、制御部４０は、この押下座標と位置的に対応する表示対象部品Ｓを特定し、この特定された表示対象部品Ｓに割り当てられた機能を実行する。
【００４２】
このように本実施形態によれば、表示部品毎に、予測座標範囲が関連付けた部品情報として記憶部５０に記憶されている。そのため、この部品情報を参照し、予測座標と、予測座標範囲との位置的な対応を図ることが可能となり、押下予測部品を特定することができる。これにより、操作者が選択しようとする表示対象部品を、タッチパネル部２０を押下操作するよりも前に特定することができる。よって、タッチパネル部２０の押下操作前であるため、すなわち、操作者による実質的な選択が行われる前段階であるため、この押下予測部品に基づいて、各種の処理を実現することができ、これにより、操作者に対する操作性の向上を図ることが可能となる。
【００４３】
また、本実施形態によれば、押下予測部品を目標とするタッチパネル部２０への押下操作を補助する観点に基づいて、表示対象部品Ｓの表示状態を変更させている。この表示形態の変更により、タッチパネル部２０への押下操作を補助することができるので、操作者に対する操作性の向上を図ることが可能となる。
【００４４】
例えば、図５に示す形態では、操作者が押下操作しようとする表示対象部品（押下予測部品）を明確に認識することができるので、そこから先の動作判断を容易に行うことができる。例えば、図６に示す形態では、押下予測部品のみを認識することができるので、そこから先の動作判断を容易に行うことができる。例えば、図７に示す形態では、押下予測部品がそれ以外の表示対象部品Ｓと比較して強調されるので、そこから先の動作判断を容易に行うことができる。例えば、図８に示す形態では、押下予測部品が拡大表示されるので、そこから先の動作判断を容易に行うことができるとともに、押下操作にて検知される面積が広がるため、操作者に対する操作性の向上を図ることができる。例えば、図９に示す形態では、押下予測部品および周辺表示部品が拡大表示されるので、両者の部品を含めてそこから先の動作判断を容易に行うことができるとともに、押下操作にて検知される面積が広がるため、操作者に対する操作性の向上を図ることができる。例えば、図１０に示す形態では、押下予測部品および押下予測部品以外の第１の表示対象部品Ｓが拡大表示かつ整列表示されるので、両者の部品を含めてそこから先の動作判断を容易に行うことができるとともに、押下操作にて検知される面積が広がるため、操作者に対する操作性の向上を図ることができる。例えば、図１１に示す形態では、押下予測部品および押下予測部品以外の第１の表示対象部品Ｓが拡大表示、かつ、その機能が表示されるので、両者の部品を含めてそこから先の動作判断を容易に行うことができるとともに、押下操作にて検知される面積が広がるため、操作者に対する操作性の向上を図ることができる。
【００４５】
なお、制御部４０は、押下予測部品を特定した場合には、その押下予測部品の実行する機能を、音声出力部６０を介して音声出力してもよい。これにより、操作者に聴覚的に情報を与えることができるので、そこから先の動作判断を容易に行うことができる。
【００４６】
また、制御部４０は、押下予測部品に基づいて、表示状態を変更した場合、所定時間経過してもタッチパネル部２０から押下座標が出力されないことを条件に、表示状態を初期表示状態（表示状態変更前）に復帰させることが好ましい。
【００４７】
また、上述した実施形態では、予測範囲座標は、表示部品に含まれる表示エリア１１上の範囲としているが、本発明はこれに限定されない。例えば、表示部品の周辺領域を含むように広く設定してもよい。
【００４８】
（第２の実施形態）
図１２は、第２の実施形態にかかる検出部３０の構成を示す説明図である。この第２の実施形態にかかるアンテナ装置が、第１の実施形態のそれと相違する点は、検出部３０の構成である。なお、検出部３０以外の構成は、第１の実施形態と同じであるため、その詳細な説明は省略する。
【００４９】
本実施形態において、検出部３０は、上述したタッチパネル部（以下「第１のタッチパネル部」という）２０とは異なる第２のタッチパネル部３４によって構成されている。この第２のタッチパネル部３４は、第１のタッチパネル部２０の上面に重ね合わせて配設されており、自己の表面を検出エリア（タッチパネル部２０の上方に設定される検出部３０としての検出エリア）として有している。
【００５０】
第２のタッチパネル部３４は、第１のタッチパネル部２０と同様に、抵抗膜方式のアナログタッチパネルなどを用いることができる。この第２のタッチパネル部３４は、上部透明電極板が操作指で押下されると、この接触点の座標情報が電気抵抗の測定によって検出されて、これが操作指がタッチパネル部２０を押下するであろう予測座標として制御部４０に出力される。ここで、第２のタッチパネル部３４は、第１のタッチパネル部２０の検知感度である第１の押下圧よりも高い検知感度である第２の押下圧に設定されている。すなわち、第１の押下圧は、第２の押下圧よりも大きな値に設定されている。したがって、第１のタッチパネル部２０の操作を前提として、その上面に配設された第２のタッチパネル部３４を押下した場合には、第１のタッチパネル部２０によって押下座標が出力されるよりも前に、予測座標が制御部４０に出力されることとなる。
【００５１】
そして、制御部４０は、予測座標に基づいて、上述した表示状態の変更を行う。なお、表示状態を変更した後には、第２のタッチパネル部３４を介して第１のタッチパネル部２０への本来の押下操作が行われるため、表示状態を変更した後は、その状態が継続されている範囲内で、第２のタッチパネル部３４からの予測座標を無視してもよい。
【００５２】
このように本実施形態によれば、これにより、操作者が選択しようとする表示対象部品を、第１のタッチパネル部２０を押下操作するよりも前に特定することができる。よって、第１のタッチパネル部２０の押下操作前であるため、すなわち、操作者による実質的な選択が行われる前段階であるため、この押下予測部品に基づいて、各種の処理を実現することができ、これにより、操作者に対する操作性の向上を図ることが可能となる。
【００５３】
なお、各実施形態で検出部３０の構成を示した本発明はこれ限定されない。タッチパネル部（第１のタッチパネル部）３０の上方に設定される検出エリアにおいて、タッチパネル部２０への押下操作を前提とした操作指の位置を検出する構成であれば、いかなる検出手段を適用することができる。
【００５４】
なお、上述した実施形態の表示方法を、表示部の表示エリアの上方にタッチパネル部が配設された表示装置に実行させるためのコンピュータ・プログラム自体も本発明の一部として機能する。当然ながらこのコンピュータ・プログラムを記録した記録媒体を、図１のような構成を有するシステムに対して供給してもよい。この場合、このシステム中の制御部４０が、記録媒体に格納されたコンピュータ・プログラム を読み取り実行することによって、本発明の目的を達成することができる。コンピュータ・プログラム自体が本発明の新規な機能を実現するため、そのプログラムを記録した記録媒体も本発明を構成する。コンピュータ・プログラムを記録した記録媒体としては、例えば、ＣＤ−ＲＯＭ、フレキシブルディスク、ハードディスク、メモリカード、光ディスク、ＤＶＤＲＯＭ、ＤＶＤ−ＲＡＭ等が挙げられる。
【図面の簡単な説明】
【００５５】
【図１】表示装置の構成を示すブロック図
【図２】第１の実施形態にかかる表示装置の外観を模式的に示す説明図
【図３】第１の実施形態にかかる検出部３０の構成を示す説明図
【図４】記憶部５０に記憶される部品情報を説明する図
【図５】第１の変更形態を模式的に示す説明図
【図６】第２の変更形態を模式的に示す説明図
【図７】第３の変更形態を模式的に示す説明図
【図８】第４の変更形態を模式的に示す説明図
【図９】第５の変更形態を模式的に示す説明図
【図１０】第６の変更形態を模式的に示す説明図
【図１１】第７の変更形態を模式的に示す説明図
【図１２】第２の実施形態にかかる検出部３０の構成を示す説明図
【符号の説明】
【００５６】
１０    表示部
１１    表示エリア
２０    タッチパネル部（第１のタッチパネル部）
３０    検出部
３１    発光ユニット
３２    受光ユニット
３３    検出エリア
３４    第２のタッチパネル部
４０    制御部
５０    記憶部
６０    音声出力部
【図１】
2009003867.tif 000003
【図２】
2009003867.tif 000004
【図３】
2009003867.tif 000005
【図４】
2009003867.tif 000006
【図５】
2009003867.tif 000007
【図６】
2009003867.tif 000008
【図７】
2009003867.tif 000009
【図８】
2009003867.tif 000010
【図９】
2009003867.tif 000011
【図１０】
2009003867.tif 000012
【図１１】
2009003867.tif 000013
【図１２】
2009003867.tif 000014